(57)【要約】【課題】貯湯用の容器内における保温中の湯の熱エネルギー放出を防ぎ、保温時の消費電力量が極めて少ない給湯装置を提供することを目的とする。【解決手段】加熱装置１６を有する貯湯用の容器１７と、容器１７への供給水を浄化する浄水装置１８と、容器１７とシンク１１ａに臨む水栓１５の出湯口１３とを連通する熱湯経路２２と、容器１７内の上部空間と水栓１５の蒸気口１４を連通する蒸気経路２３と、容器１７を断熱する断熱体２６とを備え、断熱体２６は容器１７の側面および上面を覆い下方を開放させるとともに、熱湯経路２２と蒸気経路２３は断熱体２６の下方の開放部を通して水栓１５と連通させたものである。これによって、容器１７は断熱体２６で覆われるとともに、断熱体２６には経路の貫通部がなく、そこからの湯の熱エネルギー放出を防ぐことができ、保温時の消費電力量を極めて少なくすることができる。【選択図】図１
2007211995.tif 000002
【特許請求の範囲】
【請求項１】
加熱装置を有し装置本体に内蔵された貯湯用の容器と、容器への供給水を浄化する浄水装置と、容器と装置本体を組み込むシンクキャビネットのシンクに臨む水栓の出湯口とを連通する熱湯経路と、容器内の上部空間と水栓の蒸気口を連通する蒸気経路と、容器を断熱する断熱体とを備え、前記断熱体は容器の側面および上面を覆い下方を開放させるとともに、熱湯経路と蒸気経路は断熱体の下方の開放部を通して水栓と連通させた給湯装置。
【請求項２】
浄水装置とシンクに臨む水栓の浄水口とを連通する浄水経路を備え、この浄水経路を熱湯経路および蒸気経路とともに断熱体の下方の開放部を通して水栓と連通させた請求項１に記載の給湯装置。
【請求項３】
容器の側面および上面を覆い下方を開放させた断熱体をキャップ状に一体形成した請求項１または２に記載の給湯装置。
【請求項４】
容器の側面および上面を覆い下方を開放させた断熱体を容器に対して着脱可能とした請求項１〜３のいずれか１項に記載の給湯装置。
【請求項５】
断熱体の側面下端を、容器の底面位置以上に延長して構成した請求項１〜４のいずれか１項に記載の給湯装置。
【請求項６】
電気制御を行う制御装置を断熱体の側面下端より下方に配した請求項１〜５のいずれか１項に記載の給湯装置。
【請求項７】
熱湯経路に設けた出湯装置を断熱体の側面下端より下方に配した請求項１〜６のいずれか１項に記載の給湯装置。
【請求項８】
容器の底面下方で、断熱体の側面下端位置より上方に底断熱体を設けた請求項１〜７のいずれか１項に記載の給湯装置。
【発明の詳細な説明】
【技術分野】
【０００１】
本発明は、一般家庭で使用する飲用、調理用の湯をシンクへ供給するビルトインタイプの給湯装置に関するものである。
【背景技術】
【０００２】
従来、この種の給湯装置は、保温効果を高めるために、装置本体に内蔵された貯湯用の容器の上面と側面を覆って断熱体を設けている。しかし、貯湯用の容器と装置本体を組み込むシンクキャビネットのシンクに臨む水栓の出湯口とを連通する熱湯経路や、その他の経路は断熱体を貫通させた構成となっている（例えば、特許文献１参照）。
【特許文献１】特開２００５−１０６３２０号公報
【発明の開示】
【発明が解決しようとする課題】
【０００３】
しかしながら、前記従来の構成では、熱湯経路や、その他の経路が断熱体を貫通している構成のため、貯湯用の容器内における保温中の湯の熱エネルギーが、断熱体を貫通する経路の貫通部近傍から外部に熱の対流・伝導により放熱してしまい、保温時の消費電力量が大きく増加してしまうという課題を有していた。
【０００４】
本発明は、前記従来の課題を解決するもので、貯湯用の容器内における保温中の湯の熱エネルギー放出を防ぎ、保温時の消費電力量が極めて少ない給湯装置を提供することを目的とする。
【課題を解決するための手段】
【０００５】
前記従来の課題を解決するために、本発明の給湯装置は、加熱装置を有し装置本体に内蔵された貯湯用の容器と、容器への供給水を浄化する浄水装置と、容器と装置本体を組み込むシンクキャビネットのシンクに臨む水栓の出湯口とを連通する熱湯経路と、容器内の上部空間と水栓の蒸気口を連通する蒸気経路と、容器を断熱する断熱体とを備え、前記断熱体は容器の側面および上面を覆い下方を開放させるとともに、熱湯経路と蒸気経路は断熱体の下方の開放部を通して水栓と連通させたものである。
【０００６】
これによって、容器の側面および上面は断熱体で覆われるとともに、断熱体には経路の貫通部がなく、そこからの湯の熱エネルギー放出を防ぐことができ、保温時の消費電力量を極めて少なくすることができるものである。
【発明の効果】
【０００７】
本発明の給湯装置は、貯湯用の容器内における保温中の湯の熱エネルギー放出を防ぎ、保温時の消費電力量を極めて少なくすることができる。
【発明を実施するための最良の形態】
【０００８】
第１の発明は、加熱装置を有し装置本体に内蔵された貯湯用の容器と、容器への供給水を浄化する浄水装置と、容器と装置本体を組み込むシンクキャビネットのシンクに臨む水栓の出湯口とを連通する熱湯経路と、容器内の上部空間と水栓の蒸気口を連通する蒸気経路と、容器を断熱する断熱体とを備え、前記断熱体は容器の側面および上面を覆い下方を開放させるとともに、熱湯経路と蒸気経路は断熱体の下方の開放部を通して水栓と連通させた給湯装置とすることにより、容器の側面および上面は断熱体で覆われるとともに、断熱体には経路の貫通部がなく、そこからの湯の熱エネルギー放出を防ぐことができ、保温時の消費電力量を極めて少なくすることができるものである。
【０００９】
第２の発明は、特に、第１の発明において、浄水装置とシンクに臨む水栓の浄水口とを連通する浄水経路を備え、この浄水経路を熱湯経路および蒸気経路とともに断熱体の下方の開放部を通して水栓と連通させたことにより、浄水経路を備えたものにあっても、第１の発明と同様、保温時の消費電力量を極めて少なくすることができるものである。
【００１０】
第３の発明は、特に、第１または第２の発明において、容器の側面および上面を覆い下方を開放させた断熱体をキャップ状に一体形成したことにより、保温時の消費電力量を大きく低減できることに加え、部品構成が簡素化でき、組立も簡単にできるものである。
【００１１】
第４の発明は、特に、第１〜第３のいずれか１つの発明において、容器の側面および上面を覆い下方を開放させた断熱体を容器に対して着脱可能としたことにより、保温時の消費電力量を大きく低減できることに加え、断熱体の性能改善がはかられた場合なども断熱体を交換するのみで製品の断熱性能の向上を容易に図ることができるものである。また、万一、断熱体に故障が生じても容易に交換が可能となり、サービス性に優れたものである。
【００１２】
第５の発明は、特に、第１〜第４のいずれか１つの発明において、断熱体の側面下端を、容器の底面位置以上に延長して構成したことにより、保温時の消費電力量をより効率的に低減できるものである。
【００１３】
第６の発明は、特に、第１〜第５のいずれか１つの発明において、電気制御を行う制御装置を断熱体の側面下端より下方に配したことにより、保温時の消費電力量を大きく低減できることに加え、制御装置の雰囲気温度を下げることができるため、制御装置の信頼性・耐久性を向上することができるものである。
【００１４】
第７の発明は、特に、第１〜第６のいずれか１つの発明において、熱湯経路に設けた出湯装置を断熱体の側面下端より下方に配したことにより、保温時の消費電力量を大きく低減できることに加え、給湯装置の雰囲気温度を下げることができるため、出湯装置のモータの温度を低減できモータの寿命を延ばすことができ、さらに沸騰直後などの出湯時のキャビテーション現象による吐出不具合を低減できるものである。
【００１５】
第８の発明は、特に、第１〜第７のいずれか１つの発明において、容器の底面下方で、断熱体の側面下端位置より上方に底断熱体を設けたことにより、保温時の消費電力量をさらに低減することができるものである。
【００１６】
以下、本発明の実施の形態について、図面を参照しながら説明する。なお、この実施の形態によって本発明が限定されるものではない。
【００１７】
（実施の形態１）
図１、図２は、本発明の実施の形態における給湯装置を示すものである。
【００１８】
図に示すように、本実施の形態における給湯装置は、シンクキャビネット１１内に組み込まれた装置本体１２と、シンクキャビネット１１のシンク１１ａの上面に設置されシンク１１ａに臨む出湯口１３と蒸気口１４を有する水栓１５と、内部の液体を加熱・保温する加熱装置１６を底部に有し、装置本体１２の上方に内蔵された貯湯用の容器１７と、容器１７下方で装置本体１２の外部下方に着脱可能に取り付けられた浄水装置１８と、水道管１９と浄水装置１８を連通する給水経路２０と、浄水装置１８と容器１７を連通する浄水経路２１と、容器１７と水栓１５の出湯口１３を連通する熱湯経路２２と、容器１７上部の空間と水栓１５の蒸気口１４を連通する蒸気経路２３と、給水経路２０の途中の装置本体１２内部に配した給水弁２４と、熱湯経路２２の途中の装置本体１２内部に配した出湯装置２５と、容器１７の側面と容器１７の上面の略全面を覆い下方を開放させた断熱体２６と、電気制御を行う制御装置２７とを備えている。そして、容器１７の上面の開口部は、シリコンゴムなどで液密に覆う蓋体２８が取り付けられている。
【００１９】
また、水栓１５には、表示操作部３３を配置している。また、容器１７内には、給水位置・満水位置・異常水位などの容器１７内の複数水位を検知する水位検知装置２９と、浄水経路２１により容器１７内に供給された浄水を一時的に溜める浄水受皿３０と、浄水受皿３０内の浄水を容器１７の底部にゆっくり導く導水パイプ３１を有する。また、浄水装置１８は、中空糸膜と活性炭からなり水道水を浄化する。さらに、水道管１９はその途中で給水経路２０へと分岐しているが、シンク１１ａに臨む水道口１９ａと連通している。なお、熱湯経路２２の容器１７側の流出口３２は容器７底面より少し高い位置に開口されている。
【００２０】
また、制御装置２７は、給水弁２４・加熱装置１６・出湯装置２５・表示操作部３３・容器１７の水温センサー３４などの電気的制御を行うものである。
【００２１】
ここで、熱湯経路２２と蒸気経路２３は断熱体２６を貫通させず、断熱体２６の下方の開放部通して装置本体１２内の容器１７と水栓１５を連通した構成としている。蒸気経路２３は、最下端近傍から分岐し装置本体１２下部の受皿１２ａに開口している。熱湯経路２２と蒸気経路２３の装置本体１２側と水栓１５側のそれぞれの接続部は断熱体２６の側面の下端近傍またはその下方に配している。
【００２２】
以上のように構成された給湯装置について、以下にその動作、作用を説明する。
【００２３】
まず、水道水が給水弁２４の開口により給水経路２０を通じ浄水装置１８に送られる。浄水装置１８で浄化された水が浄水経路２１を通じ容器１７に送られ、容器１７の加熱装置１６により加熱・保温される。
【００２４】
この時、一定量毎（例えば、約２００ｍｌ毎）に浄水受皿３０に給水し、その後、導水パイプ３１で加熱装置１６部にゆっくり送られ所定温度まで加熱されることを繰り返し行い満水まで湯沸しを行う。
【００２５】
熱湯の使用は、水栓１５の表示操作部３３の外部操作により出湯装置２５により水栓１５の出湯口１３から熱湯を取り出す。容器１７内の蒸気は蒸気経路２３を通じ水栓１５の蒸気口１４を介して外部に放出する。なお、いつでも使いたい時に熱いお湯が使えるように加熱装置１６により保温を継続している。
【００２６】
この保温時、容器１７内の熱湯からの熱は外部に逃げようとする。特に、熱は上方、次に横方向に逃げやすい。そのため、容器１７の上面と側面をほぼ完全に断熱体２６で覆っている構成としているため、非常に効率よく断熱することができる。また、断熱体２６には熱湯経路２２と蒸気経路２３の貫通部がなく、そこからの湯の熱エネルギー放出を防ぐことができる。このため、保温時の消費電力量を極めて少なくすることができるものである。
【００２７】
（実施の形態２）
図３は、本発明の実施の形態２における給湯装置を示すものである。実施の形態１と同一要素については同一符号を付してその説明を省略する。
【００２８】
本実施の形態においては、シンクキャビネット１１の上面に設置された水栓１５は、出湯口１３と蒸気口１４に加え、浄水口３５を有するものである。浄水経路２１は、浄水装置１８と容器１７を連通し、かつ浄水経路２１の途中から分岐し水栓１５の浄水口３５に連通し、この浄水経路２１の分岐部分に切替弁３６を配している。他は実施の形態１と同じである。
【００２９】
そして、浄水経路２１は、断熱体２６を貫通させず、熱湯経路２２と蒸気経路２３とともに断熱体２６の下方の開放部を通して水栓１５と連通させた構成としている。
【００３０】
以上のように構成された給湯装置について、以下にその動作、作用について説明する。
【００３１】
浄水を出す場合、水栓１５の表示操作部３３の操作により給水弁２４と切替弁３６が動作し浄水装置１８と水栓１５の浄水口３５が連通し浄水を出すことができる。
【００３２】
この構成において、熱湯経路２２と蒸気経路２３に加え、浄水経路２１も断熱体２６の下方の開放部を通して水栓１５と連通させた構成としているので、容器１７の側面と上面のほぼ全面を断熱体２６で覆うことと相まって、容器１７からの熱ロスを低減でき、保温時の加熱装置１６の消費電力量を大幅に削減できるものである。
【００３３】
（実施の形態３）
図４は、本発明の実施の形態３における給湯装置の断熱体の構造を示すものである。給湯装置は実施の形態１、２と同一であるので、その説明を省略する。
【００３４】
本実施の形態における断熱体２６は、容器１７の側面および上面を覆い下方を開放させたキャップ状に一体形成しものであり、容器１７部分に上からかぶせた構成とし、ビスなどにより装置本体１２に固定している。
【００３５】
図４（ａ）に示す断熱体２６は、粉末またはガラス繊維などの芯材を気体透過性の極めて低い樹脂フィルムで覆いかつ内部空間を真空引きした真空断熱材を、側面の断熱体３８と上面の断熱体３９に組み合わせで構成している。また、図４（ｂ）に示す断熱体２６は、真空断熱体３８と発泡ポリプロピレンなどの発泡体４１との組み合わせで構成している。上面部を真空断熱体３８とし側面を発泡体４１で構成してもよい。また、両方とも発泡体４１でもよい。つまり、各種組み合わせが可能である。さらに、図４（ｃ）に示す断熱体２６は、外郭がステンレス製の真空２重容器式の断熱体で構成している。図４（ａ）（ｂ）のように、断熱体３８、３９、また３８、４１の側面部と上面部にそれぞれの断熱体を組み合わせて構成することも可能で形状的にも自由度がある。また、求められる断熱性能やコストにより使い分けすることができる。
【００３６】
そして、図４（ｄ）（ｅ）に、図４（ａ）（ｂ）に示した断熱体２６の取り付け例を示している。図４（ｄ）は、断熱体２６を容器１７部分に上からかぶせた状態で、ビス３７などにより装置本体１２に固定しているものである。図４（ｅ）は、同様にかぶせた状態で、フック４０により装置本体１２から着脱可能にしている。この場合、万一、断熱体２６に故障が生じても容易に交換が可能となり、サービス性に優れたものである。なお、これらの取り付け例は、図４（ｃ）に示した断熱体２６の取り付けにおいても適用できるものである。
【００３７】
このように、本実施の形態では、保温時の加熱装置１６の消費電力量を大幅に削減できることに加え、部品の構成が簡素化でき、組立も簡単にできるものである。
【００３８】
（実施の形態４）
次に、本発明の実施の形態４における給湯装置について、図１〜図３に基づき説明する。
【００３９】
本実施の形態では、断熱体２６の側面下端を、容器１７の底面位置以上、すなわち容器１７の底面と同じ高さ、またはそれより下方にまで延長して構成したものである。
【００４０】
このことにより、断熱体２６で覆われた空間で容器１７部分がスッポリと覆われるために熱ロスが大幅に低減でき、保温時の消費電力量をさらに効率的に低減しているものである。
【００４１】
（実施の形態５）
次に、本発明の実施の形態５における給湯装置について、図１、図３に基づき説明する。
【００４２】
本実施の形態では、電気制御を行う制御装置２７を断熱体２６の側面下端より下方位置に配したものである。
【００４３】
このことにより、保温時の消費電力量を大きく低減できることに加え、制御装置２７の雰囲気温度を下げることができるため、制御装置２７の信頼性・耐久性を向上することができるものである。
【００４４】
（実施の形態６）
次に、本発明の実施の形態６における給湯装置について、図１、図３に基づき説明する。
【００４５】
本実施の形態では、熱湯経路２２に設けた出湯装置２５を断熱体２６の側面下端より下方に配したものである。
【００４６】
このことにより、保温時の消費電力量を大きく低減できることに加え、給湯装置の雰囲気温度を下げることができるため、また、出湯装置２５の雰囲気は外部に放熱が可能なため、出湯装置２５を構成するモータの温度を低減できモータの寿命を延ばすことができ、さらに沸騰直後などの出湯時のキャビテーション現象による吐出不具合を低減できるものである。
【００４７】
（実施の形態７）
図５は、本発明の実施の形態７における給湯装置を示すものである。実施の形態１、２と同一要素については同一符号を付してその説明を省略する。
【００４８】
本実施の形態では、容器１７の底面を覆う底断熱体４４を、断熱体２６の側面下端と同じ高さまたは上方に配した構成としている。なお、図５（ａ）は実施の形態１に、図５（ｂ）は実施の形態２にそれぞれ対応させた構成を示している。
【００４９】
このことにより、容器１７を断熱体２６と底断熱体４４で全面を包み込む構成となり、容器１７の熱が全方向へ逃げることを防止でき、また、制御装置２７や出湯装置２５の雰囲気温度の上昇も抑えることができ、保温時の消費電力量をさらに大きく低減することができるとともに、制御装置２７や出湯装置２５の信頼性・耐久性を高めることができるものである。
【産業上の利用可能性】
【００５０】
以上のように、本発明にかかる給湯装置は、貯湯用の容器内における保温中の湯の熱エネルギー放出を防ぎ、保温時の消費電力量を極めて少なくすることができるので、ビルトインタイプで貯湯タンク式の給湯装置（電気式に限らず、ガス式なども含む）全般に適用できる。
【図面の簡単な説明】
【００５１】
【図１】本発明の実施の形態１、４〜６における給湯装置を示す断面図
【図２】本発明の実施の形態１における給湯装置の外観斜視図
【図３】本発明の実施の形態２、４〜６における給湯装置を示す断面図
【図４】（ａ）〜（ｃ）本発明の実施の形態３における給湯装置の断熱体を示す断面図（ｄ）（ｅ）断熱体の取り付け例を示す部分断面図
【図５】本発明の実施の形態７における給湯装置を示す断面図
【符号の説明】
【００５２】
１１  シンクキャビネット
１１ａ  シンク
１２  装置本体
１３  出湯口
１４  蒸気口
１５  水栓
１７  容器
１８  浄水装置
１９  水道管
２０  給水経路
２１  浄水経路
２２  熱湯経路
２３  蒸気経路
２４  給水弁
２５  出湯装置
２６  断熱体
２７  制御装置
４４  底断熱体
【図１】
2007211995.tif 000003
【図２】
2007211995.tif 000004
【図３】
2007211995.tif 000005
【図４】
2007211995.tif 000006
【図５】
2007211995.tif 000007